(57)【要約】      （修正有）【課題】粘着テープの取り扱いにおいて、テープの粘着面を汚すことなく貼付け作業を行い、容易に所望の長さでテープを切断する。【解決手段】粘着テープ６の非粘着面を円筒状のローラー４で被粘着物に押し付け、このローラーを押し付けたまま転がす事により貼付け作業を行い、ローラーを連動させテープの繰り出し、あるいは固定をするためのレバーと、テープを切断するための刃を併せ持つ切断刃レバー５を床面に押し付けて作動させて、本体を倒すだけの容易な動作でローラーを固定し、刃をテープ切断可能な位置に移動して粘着テープを切断する。【選択図】図１
2014005136.tif 000002
【特許請求の範囲】
【請求項１】
粘着テープを貼付け、切断する保持切断具において、テープを収納する本体ケースと、本体ケースに回転、前後移動可能に設置され、円筒面を 粘着テープの非粘着面に接触し、これを被粘着物に押し付けて引くことにより、テープを被粘着面に貼付けるためのローラーと、このローラーを本体と床面の間
でそれらの位置関係に応じて動かしテープを固定、解除しするためのリブとを持ち、さらに固定したテープを切断するための刃を併せ持つ切断刃レバー、を持つ ことを特徴とする粘着テープ保持切断具。
【発明の詳細な説明】
【技術分野】
【０００１】
本発明は、テープを汚すことなく正確に張り付け切断のできる粘着テープ保持切断具に関するものである。
【背景技術】
【０００２】
ロール状に巻かれた粘着テープを使用する際に、テープを所要の長さに切るために、いわゆるテープカッターと称される道具が用いられてい る。従来のテープカッターは、テープの芯を回転可能に保持する軸と、引き出されたテープをカットする刃と、カット端が使用後再度ロールに巻き込まれないよ
うにテープ端を仮止めするための粘着用平面を持ち、テープを切断する目的を容易に達する事のできる構造になっており、その単純な構造と容易な操作性から小 型のセロハン粘着テープを使用する際の補助のための文具として広く実用に供されている。
【０００３】
しかし、実際の使用にあたっては、既存のテープカッターは、テープの粘着面に手の汚れや指紋が付く、持ち運ぶ際に露出した粘着面に埃や糸 屑が付きやすい、また、カット長を目分量で決めるため長さに誤差が生じやすく、正確に長さを出すためには再度はさみやナイフで切る必要がある、という不具
合点を残している。
【０００４】
この欠点を補うために様々な考案がなされてきた。例えば後述する先行技術文献にみられるような有効な提案も多く開示されてきている。しか しながら、これらの提案についても上記の不具合点の全てを解決するものではなく、また、汎用の文具としての使用を考えた場合には構造が複雑過ぎる、使用操
作が容易でない等の欠点が残る物であった。
【０００５】
この他に、既に実用に供されている物にガムテープ用のテープカッターがある。これは先端にテープ切断用の刃をもち、刃の付近にテープ押し つけ用のローラーを持ち、テープの芯の穴を回転軸に設置して、ローラーでテープを押しつけながら手前に引いて張り付け、目的の位置に来たらこのテープカッ
ターを、貼り付けたテープ側に倒して先端の刃をテープに押しつけて切断する道具である。この道具は、特に段ボール箱のような剛性を持つしっかりとした物へ のテープ貼り付けとカットに非常に便利であるが、これを柔らかい紙へのテープ貼り付けに使用した場合、切断時にテープが紙を持ちあげてうまく切断できなく
なる。また、テープのロール自体を手で握って切断の際のテープの繰り出しを止める構造になっているので、現状の構造のままで文具としての小型のセロハン粘 着テープへの応用は困難であるという問題があった。
【先行技術文献】
【特許文献】
【０００６】
【特許文献１】特開２０１０−２４７９６７号公報
【特許文献１】特開２０１０−１６８１６２号公報
【特許文献１】特開２００９−１５５０４８号公報
【特許文献１】特開２００８−２９７０６８号公報
【特許文献１】特開２００７−８７２４号公報
【発明の概要】
【発明が解決しようとする課題】
【０００７】
解決しようとする問題点は、持ち運ぶ際、あるいは張り付け使用時に、粘着テープの粘着面が汚れ、また、使用にあたっては、張り付けの長さを正確に切断できないという点である。
【課題を解決するための手段】
【０００８】
本発明は、粘着テープを、汚さずに、また張り付け必要位置で正確に切断するため、固定、可動切り替え可能なローラーで粘着テープを粘着面 の裏側から押して貼り付け、目的の貼り付け終了位置に到達したときに容易な操作で切断刃をテープに押し当ててこれを切断する構造を持つことを最も主要な特
徴とする。
【発明の効果】
【０００９】
本発明の粘着テープ保持切断具によれば、粘着テープを手で引き出すことなく直接被粘着物に押し付け、貼り付け終了時には本体を傾ける容易な操作で必要な貼り付け範囲に応じた切断ができるという利点がある。
【００１０】
また、使用しない時は切断刃を外向きにではなく内向きに、ローラーに密着した状態で収納するので、手指や服が刃に触れにくく安全である。 また、本体が従来のテープカッターに比して小型にでき、さらに、粘着面の露出が少ないので、テープが汚れにくいことも併せて、携帯に便利であるという利点
も兼ね備えるものである。
【図面の簡単な説明】
【００１１】
【図１】本発明の１実施例の外観を示した斜視図である。（実施例１）
【図２】本発明の１実施例の構造説明のための分解図である。（実施例１）
【図３】本発明の１実施例の切断刃部分の構造を示した斜視図である。（実施例１）
【図４】本発明の１実施例の操作方法を示した説明図である。（実施例１）
【図５】本発明の１実施例の操作前の状態を示した断面図である。（実施例１）
【図６】本発明の１実施例の貼付操作中の状態を示した断面図である。（実施例１）
【図７】本発明の１実施例の切断時の状態を示した断面図である。（実施例１）
【図８】本発明の１実施例の手切り時の状態を示した断面図である。（実施例１）
【図９】本発明の１実施例の保管時の状態を示した断面図である。（実施例１）
【発明を実施するための形態】
【００１２】
粘着面を汚すことなく、必要な範囲に粘着テープを貼りつけるという目的を、最小の部品点数で、容易に携帯できる形状を損なわずに実現した。
【実施例１】
【００１３】
図１は、本発明装置の１実施例の外観を示す斜視図であって、１は本体ケース、２は本体蓋、３はテープ蓋、４はローラー、５は切断刃レバー、６はテープである。
【００１４】
図２は、本発明装置の構成要素を示す斜視図であって、１〜６は図１と同様である。ローラー４の両端にはローラー回転軸４ａがあり、組立 時、本体ケース１の長円穴１ａと本体蓋２の長円穴２ａにより回転及び前後動可能に保持される。切断刃レバー５の両側には貫通孔が設けられ、レバー軸５ａが
中間にトーションバネ５ｂを挟んで貫通孔に挿入され、挿入後両側面に突出したレバー軸５ａの両端は本体ケース１のレバー軸穴１ｂと本体蓋２のレバー軸穴 ２ｂによりそれぞれ保持される。本体蓋２は上記の部品を保持しながら本体ケース２に複数配置された固定ボス２ｃでビス止め、あるいは互いの接触面で接着す
る事により固定される。テープ６は、本体ケース１に収納され、圧入勘合等により組立後も取外し可能な状態で本体ケース１に取り付けられたテープ蓋３により、本体ケース１から脱落しないように保持される。テープ６はその粘着面を本体から外向きに、言い換えると図において下向きになるように本体ケース１に収納する。
【００１５】
図３は、切断刃レバー５の組立後の状態を示す斜視図である。切断刃レバー５は図に示すような形状を持ち、中間部分に鋭利な凸部の刃５ｃを 持つ。刃５ｃは切断刃レバー５が充分な硬度を持つ材料でできている場合は一体の材料で作ってもよいし、切断刃レバー５の材料の硬度が十分でない場合は刃の
み金属の別部品として切断刃レバー５に固定した構造としてもよい。切断刃レバー５は、また、両端につき出る形の押えリブ５ｄを持つ。この押えリブ５ｄは テープ６を切断する際、紙などの被粘着物が持ち上がらないように押える役目を持つ。また、同リブの上部には操作中にローラー４を連動させてテープ６の固定
と解除を行うためのカム部５ｅを持つ。
【００１６】
図４は、本発明の粘着テープ保持切断具の使用法を示す説明図である。詳細構造は後述するが、先に操作方法を本図により説明すると、まず本 切断具を被粘着物の上に図のように置き、上部を矢印１０の方向に手指で押す。テープ６の粘着面は図において下向きに設置されているため、テープ６は被粘着
物に貼り付けられる。この状態で矢印１０ａの方向に引き、本体蓋２の矢印２ｄが貼付け予定位置の終点付近に来た時点で全体を矢印１０ｂの方向に倒してテー プ６を切断する。もし、刃５ｃの鋭利さが不足してテープが切断できない場合でも、矢印１０ｃの方向にさらに引くと、テープ６は容易に切断される。この間の
詳細な機構との関連を、次に図５〜図７により説明する。
【００１７】
図５は本発明の粘着テープ保持切断具の貼付け操作開始直前の状態を示す全断面図である。本体に両端を保持された切断刃レバー５にはトー ションバネ５ｂにより図に於いて反時計回りの回転力が働き、切断刃レバー５の押えリブ５ｄの上端によりローラー回転軸４ａを押して長円穴１ａの右側に押し
付けられる。この時テープ６の粘着面はローラー６を介して本体ケース１のテープ出口１ｃに押し付けられて本体ケース１に粘着し固定されている。
【００１８】
図６は上記図５の状態から粘着テープ保持切断具を図において右方向に引きだした時の状態を示す全断面図である。ローラー４はテープ６を押 しつけながらその摩擦力により長円穴１ａを図における左方向にローラー回転軸４ａが長円穴１ａの左端の位置に来るまで、切断刃レバー５を押しながらずれ動
く。この時テープ６の粘着面は本体ケース１のテープ出口１ｃから剥離し、テープは本体の動きに応じて引き出されるようになる。
【００１９】
図７は上記図５の状態から粘着テープ保持切断具を図においてテープを切断する時の状態を示す全断面図である。図６の状態で貼付け作業を続 け、所望の貼付け範囲の終点まで来た時点で本体を図４に示すように倒した時に、内部は図７に示すようになる。切断刃レバー５は床面と接して床面と平行にな
り、刃５ｃがテープ６に喰い込む。
この時、切断刃レバー５の側面のカム部５ｅがローラー回転軸４ａを押して、ローラー４を本体ケース１のテープ 出口１ｃに押し付け、この事によりテープ６はこれ以上繰り出さないように固定される。刃５ｃが充分鋭利であれば、図６から図７の状態になるまでの間にテー
プ６は切断される。もしテープ６の強度が大きく切断されない場合はこのまま図における右方向に引くとテープ６を切断する事ができる。
【００２０】
図８は本発明の粘着テープ保持切断具を従来のテープカッターに類似した方法で使用する場合の操作を示す全断面図である。図７では本体を床 面に押し付けた状態であるが、図８においては本体をローラー４が上側になるようにして手に持った状態である。この状態で切断刃レバー５を図のように押し込
むと、ローラー回転軸４ａを押していた切断刃レバー５の側面カム部５ｅはその山を越えて押し付けを解除する。よってテープ６は引き出し可能になり、従来の テープカッターと同様に使用する事も可能となる。
【００２１】
上記実施例１において説明したとおり、本発明の粘着テープ保持切断具は、可動のローラー４と切断刃レバー５の組み合わせで粘着テープの貼 付けと切断を行うものであり、本体ケース１、本体蓋２、テープ蓋３の形状や組合せについては上記の作動を損なわない限りどのように変形してもよい。
【００２２】
上記実施例１によれば、従来のテープカッターに比べて本体形状を小型化でき、埃の侵入も少なくなり、携帯に便利で、操作も簡単なことから粘着テープ使用のための補助文具としておおいに役立つものである。
【産業上の利用可能性】
【００２３】
一般のセロハン粘着テープ用としてのみではなく、両面テープの貼付け切断用としても、あるいは大型になるがガムテープの貼付け切断用といった種々のテープに対しても同様に適用可能である。
【符号の説明】
【００２４】
１    本体ケース
２    本体蓋
３    テープ蓋
４    ローラー
５    切断刃レバー
６    テープ
【図１】
2014005136.tif 000003
【図２】
2014005136.tif 000004
【図３】
2014005136.tif 000005
【図４】
2014005136.tif 000006
【図５】
2014005136.tif 000007
【図６】
2014005136.tif 000008
【図７】
2014005136.tif 000009
【図８】
2014005136.tif 000010
【手続補正書】
【提出日】平成24年7月30日(2012.7.30)
【手続補正１】
【補正対象書類名】明細書
【補正対象項目名】００１１
【補正方法】変更
【補正の内容】
【００１１】
【図１】本発明の１実施例の外観を示した斜視図である。（実施例１）
【図２】本発明の１実施例の構造説明のための分解図である。（実施例１）
【図３】本発明の１実施例の切断刃部分の構造を示した斜視図である。（実施例１）
【図４】本発明の１実施例の操作方法を示した説明図である。（実施例１）
【図５】本発明の１実施例の操作前の状態を示した断面図である。（実施例１）
【図６】本発明の１実施例の貼付操作中の状態を示した断面図である。（実施例１）
【図７】本発明の１実施例の切断時の状態を示した断面図である。（実施例１）
【図８】本発明の１実施例の手切り時の状態を示した断面図である。（実施例１）